(57)【要約】【課題】短いムク材を繋ぎ合わせて長尺材にできる木材用連結金具の提供。【解決手段】  二本の木材２を端面で合わせて一本化する木材用連結金具１であって、木材端面の下穴１２にネジ込む二本のラグスクリュー３と、双方木材の端面に埋め込まれたラグスクリューにネジ込んで両ラグスクリューを一本化する連結ネジ４とからなり、二本の木材の端面の周囲に切欠溝１８を形成し、切欠溝を中心に対向する木材端面に下穴１２を形成し、各ラグスクリューは一方の頭部端面に右ネジの雌ネジを、他方の頭部端面に左ネジの雌ネジを有し、連結ネジは長手方向中間部に工具用係止部を有し、長手方向の一方に右ネジの雄ネジを、他方に左ネジの雄ネジを形成し、連結ネジのネジ込み作用でラグスクリューを一本化し且つラグスクリューの頭部と連結ネジの係止部を切欠溝内に収容する。【選択図】      図１
2007071339.tif 000002
【特許請求の範囲】
【請求項１】
二本の木材（２）をその端面同士で突き合わせて一本化するための木材用連結金具（１）であって、
突き合わせる各木材の端面の下穴（１２）にネジ込む二本のラグスクリュー（３）と、双方の木材の端面に埋め込まれたラグスクリューに対してネジ込むことによって両ラグスクリューを一本化する連結ネジ（４）とからなり、
二本の木材（２）に対してはその突き合わせ箇所の周囲には切欠溝（１８）を形成すると共に、切欠溝を中心にして対向する双方の木材の端面には下穴（１２）をそれぞれ形成しておき、
二本のラグスクリュー（３）は一方の頭部の端面には右ネジの雌ネジ（１０ａ）を有し、他方の頭部の端面には左ネジの雌ネジ（１０ｂ）を有し、
連結ネジ（４）はその長手方向の中間部に工具用の係止部（１６）を有すると共に、長手方向の一方には右ネジの雄ネジ（１７ａ）を、他方には左ネジの雄ネジ（１７ｂ）をそれぞれ形成し、
連結ネジ（４）のネジ込み作用によって二本のラグスクリューを一本化すると共に、二本のラグスクリュー（３）の頭部（７）と連結ネジ（４）の係止部（１６）を切欠溝（１８）内に収容することを特徴とする木材用連結金具。
【発明の詳細な説明】
【技術分野】
【０００１】
本発明は、短い木材を繋ぎ合わせて長尺材を形成するための木材用連結金具に関する。
【背景技術】
【０００２】
梁はムク材の場合、長さが一定値（例えば６ｍ）を超えると、入手が困難なことから、価格が割り高になる。また、長尺の梁は集成材であれば製造できるが、ムク材であれ集成材であれ長尺になるにつれて自重が重くなり、その取り扱いが不便になることに変わりはない。従って、短いムク材を現場で繋ぎ合わせて長尺材とできれば、ムク材の美観を保持しながら上記問題を解決できる。
【発明の開示】
【発明が解決しようとする課題】
【０００３】
本発明は上記実情を考慮して創作されたもので、短いムク材を現場で繋ぎ合わせて長尺材とすることの可能な木材用連結金具を提供することを目的とする。
【課題を解決するための手段】
【０００４】
本発明は、二本の木材をその端面同士で突き合わせて一本化するための木材用連結金具に関する。そして、突き合わせる各木材の端面の下穴にネジ込む二本のラグスクリューと、双方の木材の端面に埋め込まれたラグスクリューに対してネジ込むことによって両ラグスクリューを一本化する連結ネジとからなる。二本の木材に対してはその突き合わせ箇所の周囲には切欠溝を形成すると共に、切欠溝を中心にして対向する双方の木材の端面には下穴をそれぞれ形成しておく。そして、二本のラグスクリューは、一方の頭部の端面には右ネジの雌ネジを有し、他方の頭部の端面には左ネジの雌ネジを有する。連結ネジはその長手方向の中間部に工具用の係止部を有すると共に、長手方向の一方には右ネジの雄ネジを、他方には左ネジの雄ネジをそれぞれ形成する。そして、連結ネジのネジ込み作用によって二本のラグスクリューを一本化すると共に、二本のラグスクリューの頭部と連結ネジの係止部を切欠溝内に収容することを特徴とする。
【発明の効果】
【０００５】
本発明の木材用連結金具によれば、一本化した二本のラグスクリューの頭部と連結ネジの係止部を、切欠溝内に収容するので、木材の突き合わせ状態を維持でき、その上、木材にムク材を用いれば、繋ぎ合わせて一本化したムク材の長尺材とすることができる。また、連結ネジの一方に右ネジの雄ネジを、他方に左ネジの雄ネジを用い、それに対応して一方のラグスクリューの頭部に右ネジの雌ネジを、他方のラグスクリューの頭部に左ネジの雌ネジを形成してあるので、木材端面の下穴にラグスクリューをネジ込み、連結ネジを係止部を利用してネジ締めすれば、一回のネジ締め操作で両方のラグスクリューが一本化し、長尺材とすることができる。従って、連結ネジのネジ締め作業を現場で行えば、工場から現場までは木材を短いまま運搬でき、取り扱いに都合が良い。
【発明を実施するための最良の形態】
【０００６】
木材用連結金具１は図１に示すように、三つの部品、即ち、木材２の端面にネジ込むラグスクリュー３を二つと、２つのラグスクリュー３を一本化する連結ネジ４とから構成してある。そして、連結金具１を２組使用して、二本の木材２を一本化する。
【０００７】
各ラグスクリュー３は図５に示すように、スクリュー本体５の先端にガイド軸６を着脱可能にネジ込んだもので、具体的な寸法を一例として挙げれば直径２０〜４０ｍｍ、長さ２００〜３００ｍｍである。
【０００８】
スクリュー本体５は、工具を取り付ける頭部７と、頭部７から延長する円柱状の軸部８と、軸部８の外側に螺旋状に突出するネジ山９とからなる。
【０００９】
頭部７は例えば六角頭に形成してある。そして、二本のラグスクリュー３，３は図２、図５に示すように、その端面には雌ネジをあけてあり、そのうち一本については一般的な右ネジの雌ネジ１０ａにし、残りの一本については左ネジの雌ネジ１０ｂにしてある。
【００１０】
軸部８の先端面には図５に示すように、ガイド軸６に着脱するための凹部（雌ネジ）１１を軸線方向に沿ってあけてある。なお、軸部８の直径を１９ｍｍ以上にしたものに適用することが望ましい。
【００１１】
ガイド軸６は軸部８と同径の棒体であって、木材２の端面の下穴１２（図１又は図２参照）への差込み易さを考慮して先部を末端側に向かって径が大きくなるテーパー状に形成すると共に、先端面には工具取付部１３（図１では六角穴）を有し、ガイド軸６の末端には、凹部１１に係止する凸部（雄ネジ）１４を軸線方向に沿って突出してある。
【００１２】
連結ネジ４は図１〜図３に示すように、小径軸部１５の長手方向の中間部に工具用の係止部１６（六角ナット）を、ラグスクリュー３の頭部と同径に形成し、長手方向の片側には右ネジの雄ネジ１７ａを、反対側には左ネジの雄ネジ１７ｂを設けてある。
【００１３】
木材２はムク材であって、種類としては杉が挙げられ、具体的な寸法の一例としては背丈が３６０ｍｍよりも高く、長さは数ｍ程度のものが挙げられる。また、各木材２の端面の周囲には図１〜図４に示すように、その横幅中間部に上下に間隔をあけて切欠溝１８をあけ、切欠溝１８の奥には下穴１２をガイド軸６とほぼ同径に且つ木材２の長手方向に沿って形成してある。切欠溝１８と下穴１２をあける位置は、二本の木材２を突き合わせたときに対向する位置関係とする。そして、下穴１２にラグスクリュー３をネジ込むことによって、切欠溝１８内にはラグスクリュー３の頭部７を収容する。また、突き合わて一本化した二本の木材２，２は、上側と下側でそれぞれ２つの切欠溝１８，１８を連通し、連通する切欠溝１８に跨って連結ネジ４の係止部１６を収容してある。従って、各切欠溝１８は頭部７にスパナ等の工具を取り付けてネジ締め可能な大きさに形成してあるし、連通する二つの切欠溝１８は、係止部１６に工具を取り付けてネジ締め可能な大きさに形成してある。
【００１４】
上述した連結金具１は以下の要領で使用する。まず、図１に示す木材２の下穴１２を組立前に工場で予めあけ、ラグスクリュー３を下穴１２に予めネジ込んで、各切欠溝１８内にラグスクリュー３の頭部７を収容しておく。そして、現場では木材２の端面を向かい合わせて近づけ、上側及び下側の対向する二つのラグスクリュー３に対して連結ネジ４をそれぞれネジ込む。木材２の重量を無視して考えれば連結ネジ４のネジ込みによって木材２，２同士が接近するのであるが、実際はかなりの重量があるので、連結ネジ４のネジ込み操作と共に、木材２を接近する方向に押し込む。この際には上側と下側の連結ネジ４を同期させてネジ込むことによって、連結ネジ４のネジ込み作業が支障なく行われ、木材２の端面同士が突き合わさって長尺材となる。なお、木材２を地面に置いてネジ込む場合には、下側のラグスクリュー３に連結ネジ４をネジ込むために、木材２をその背丈方向（上下方向）が横向きとなる状態に寝かせる。
【００１５】
本発明は上記実施形態に限定されない。例えば、切欠溝１８は突き合わせる二本の木材２のうち一本にのみ形成してもよく、この場合、切欠溝１８を上述した例の２倍の大きさに少なくとも形成する。また、連結金具１は、上述例では二本の木材２に対して２組用いたが、１組、又は３組以上であってもよい。
【図面の簡単な説明】
【００１６】
【図１】木材組立前における連結金具の使用方法を示す分解斜視図である。
【図２】木材組立前における連結金具の使用方法を示す平面図である。
【図３】木材組立前における連結金具の使用方法を示す縦断面図である。
【図４】木材組立後における連結金具の使用状態を示す平面図である。
【図５】（イ）（ロ）（ハ）図はラグスクリューの正面図、分解断面図、右側面図である。
【符号の説明】
【００１７】
１  連結金具
２  木材
３  ラグスクリュー
４  連結ネジ
７  頭部
１０ａ  右ネジの雌ネジ
１０ｂ  左ネジの雌ネジ
１２  下穴
１６  係止部
１７ａ  右ネジの雄ネジ
１７ｂ  左ネジの雄ネジ
１８  切欠溝
【図１】
2007071339.tif 000003
【図２】
2007071339.tif 000004
【図３】
2007071339.tif 000005
【図４】
2007071339.tif 000006
【図５】
2007071339.tif 000007